(57)【特許請求の範囲】
【請求項１】
鉄骨による外装下地に嵌着する長尺チャンネル材を複数並ぶ手摺支柱の下端に設け、該長尺チャンネル材の内方にかんざし状に回転コロを配設し、また、長尺チャンネル材側部に外装下地側方に先端が押圧する止螺子を設け、回転コロを外装下地の上面に沿って移動させ、長尺チャンネル材は移動後は止螺子で外装下地に固定することを特徴とする手摺ユニットの設置方法。
【請求項２】
回転コロは端部を螺子切り部分としたボルトを使用し、端部を長尺チャンネル材の外側に突出し、この突出部にワッシャー付のナットを取付けて抜け出し防止とした請求項１記載の手摺ユニットの設置方法。
【発明の詳細な説明】
【技術分野】
【０００１】
本発明は、外部無足場工法での建物の屋根葺工事を行う際などに使用される横移動可能な手摺ユニットの設置方法に関するものである。
【背景技術】
【０００２】
例えば、外部無足場工法で建物の屋根を葺く場合には、作業の安全のために手摺が仮設として設けられる。
【０００３】
その一例として屋根工事が折版で屋根葺をする場合を図３を例に示すと、図中１は折版２で屋根葺をするときに使用する建物の梁であり、Ｈ型鋼が使用され、フランジ面が上下面となるようにして設置される。
【０００４】
図示は省略するが、梁１の上面には、帯状板を山形および谷形が連続する波型に折曲して形成したタイトフレームを梁１の上面の幅方向中央部において溶接等の手段により固定して取り付け、前記屋根葺用の折版２は、タイトフレーム上においてカシメ結合して設置される。
【０００５】
そして、梁１には折版２の設置に先行して梁１間に安全ネット３が張設され、また屋根葺用の折版２を設置した既設の部分には手摺４と親綱５による手摺ユニットが設置されて、安全性を確保している。
【０００６】
手摺４は手摺支柱４ａと横架材である手摺材４ｂで格子状に枠組まれたものであり、親綱５は折版２の上に設置したスタンド６で途中を支承して張られる。
【０００７】
通常手摺支柱４ａは下端を１本ずつクランプ等で固定されるが、下記特許文献１は、手摺支柱等の支持部材の取付位置を簡単に調整できるものとして提案されたものである。
【特許文献１】実公平３−２３４６３号公報
【０００８】
特許文献１を図４に示すと、ベランダ等を構成するコンクリート製の基礎部７に周縁部に立設される腰壁８に当接して被冠する長尺部材からなるアンカーレール９と、このアンカーレール９上に係合保持する支持部材１０とから構成されるものである。
【０００９】
支持材１１は手摺支柱を外嵌装着するもので、支持部材１０に係合保持され、支持部材１０を移動することで、支持材１１の固定位置も調整できる。
【発明の概要】
【発明が解決しようとする課題】
【００１０】
前記屋根工事に使用される手摺として、工事の進捗に伴い、横方向に複数の手摺支柱がそのまま移動でき、盛り替えの手間を省く簡易構造の手摺ユニットは今まで存在しなかった。
【００１１】
手摺ユニットを横移動させるように盛り変えるには、手摺支柱を個々に１本ずつ移動させねばならず、手間と時間がかかるものであった。
【００１２】
前記特許文献１は手摺支柱等の支持部材の取付位置を簡単に調整できるものの、複数並ぶ手摺支柱をそのまま横移動できるものではない。
【００１３】
本発明の目的は前記従来例の不都合を解消し、工事の進捗に伴い、横方向に複数の手摺支柱がそのまま移動できるので盛り替えの手間を省くことができる手摺ユニットの設置方法を提供することにある。
【課題を解決するための手段】
【００１４】
前記目的を達成するため請求項１記載の本発明は、鉄骨による外装下地に嵌着する長尺チャンネル材を複数並ぶ手摺支柱の下端に設け、該長尺チャンネル材の内方にかんざし状に回転コロを配設し、また、長尺チャンネル材側部に外装下地側方に先端が押圧する止螺子を設け、回転コロを外装下地の上面に沿って移動させ、長尺チャンネル材は移動後は止螺子で外装下地に固定することを要旨とするものである。
【００１５】
請求項１記載の本発明によれば、鉄骨による外装下地に嵌着する長尺チャンネル材を用いることで複数並ぶ手摺支柱をこの長尺チャンネル材で同時に支承でき、また、長尺チャンネル材にかんざし状に回転コロを配設してこれを外装下地上面に沿って移動させることで、工事の進捗に伴い、摩擦抵抗なく手摺支柱を含む手摺全体を鉄骨による外装下地に沿って移動させることができる。
【００１６】
また、移動させた後では止螺子を用いて簡単に長尺チャンネル材を外装下地に固定し、この固定では長尺チャンネル材は外装下地に一定の長さをもって係合しているので、複数並ぶ手摺支柱を安定して支持することが可能である。
【００１７】
請求項２記載の本発明は、回転コロは端部を螺子切り部分としたボルトを使用し、端部を長尺チャンネル材の外側に突出し、この突出部にワッシャー付のナットを取付けて抜け出し防止としたことを要旨とするものである。
【００１８】
請求項２記載の本発明によれば、回転コロの抜け出し防止を行うことができる。
【発明の効果】
【００１９】
以上述べたように本発明の手摺ユニットの設置方法は、長尺チャンネル材により複数の手摺支柱がそのまま横方向に移動できるようにしたので、工事の進捗に伴い、手摺を盛り替える手間を大幅に軽減することができるものである。
【発明を実施するための形態】
【００２０】
以下、図面について本発明の実施の形態を詳細に説明する。図１は本発明の手摺ユニットの設置方法の１実施形態を示す縦断側面図で、折版で屋根葺をする屋根工事で使用する場合である。
【００２１】
すなわち、図１において図中１は鉄骨による梁であり、折版２は梁１に設けたタイトフレーム１２上においてカシメ結合して設置される。
【００２２】
また、図中１３は面戸であり、これに対応するように、外側には鉄骨による外装下地１４が組まれる。
【００２３】
本発明は図２における手摺４のように手摺支柱４ａと横架材である手摺材４ｂで格子状に枠組まれたものを外装下地１４に立てて設けるのに、前記外装下地１４に嵌着する３メートル程度の長尺チャンネル材１５をスライド部材として使用し、この長尺チャンネル材１５を複数並ぶ手摺支柱４ａの下端に設けるようにしたもので、手摺支柱４ａは間隔を存して長尺チャンネル材１５に立設される。
【００２４】
なお、手摺支柱４ａを長尺チャンネル材１５に直接立設する場合の他に図３に示すように支持材を立設し、これに手摺支柱を嵌着するようにしてもよい。
【００２５】
前記長尺チャンネル材１５は上床板１６と左右側板１７とからなる下面解放のものであり、回転コロ１９を内方に配設してこれを外装下地１４の上面に沿って移動させるようにした。
【００２６】
前記回転コロ１９は長尺チャンネル材１５を幅方向に横切るものであり、上床板１６の内側から少し離してかんざし状に配設してこれを外装下地１４の上面に沿って移動させる。
【００２７】
図２に示すように、回転コロ１９には中央部を螺子なしとした六角ボルトを使用し、螺子切り部分である端部を長尺チャンネル材１５の外側に突出し、この突出部にワッシャー１９ｂ付のナット１９aを溶接で取付けて抜け出し防止とした。
【００２８】
回転コロ１９は鉄骨による外装下地１４と長尺チャンネル材１５との間に滑動に要する隙間を確保するもので、完全に回転しないでも、多少回動するか、もしくは、回動しないで外装下地１４上面との接合を少なくして摩擦抵抗を減らすだけにしたようなものでもよい。
【００２９】
また、長尺チャンネル材１５の側部である左右側板１７に外装下地１４の側方に先端が押圧する止螺子２０を設けた。該止螺子２０は左右側板１７に形成した孔に合わせてナットを溶接しておき、ここに螺子を差し込むようにしたものであり、長尺チャンネル材１５が面戸１３と干渉するのを防止する。
【００３０】
このようにして外装下地１４の上には、長尺チャンネル材１５を介して手摺支柱４ａが間隔を存して立設され、手摺支柱４ａにより手摺が組まれる。
【００３１】
設置した手摺よりも先の部分に屋根が完成し（図２参照）、手摺を先に移動するように盛り替えるには、止螺子２０を緩め、長尺チャンネル材１５を外装下地１４に沿って移動させればよい。
【００３２】
この長尺チャンネル材１５の移動は回転コロ１９のみが主として外装下地１４の上面に接して行われるもので、摩擦抵抗なく行うことができる。
【００３３】
長尺チャンネル材１５は移動後は再度、止螺子２０で外装下地１４に固定する。
【図面の簡単な説明】
【００３４】
【図１】本発明の手摺ユニットの設置方法の１実施形態を示す縦断側面図である。
【図２】図１の要部を示す縦断側面図である。
【図３】折版で屋根葺をする屋根工事の様子を示す斜視図である。
【図４】従来例を示す斜視図である。
【符号の説明】
【００３５】
１…梁                  ２…折版
３…安全ネット          ４…手摺
４ａ…手摺支柱          ４ｂ…手摺材
５…親綱                ６…スタンド
７…基礎部              ８…腰壁
９…アンカーレール      １０…支持部材
１１…支持材            １２…タイトフレーム
１３…面戸              １４…外装下地
１５…長尺チャンネル材
１５ａ…上床板          １５ｂ…左右側板
１９…回転コロ          １９ａ…ナット          
１９ｂ…ワッシャー      ２０…止螺子
【図１】
0006523086.tif 000002
【図２】
0006523086.tif 000003
【図３】
0006523086.tif 000004
【図４】
0006523086.tif 000005